(57)【要約】      （修正有）【課題】農業用、園芸ハウス用、温室用等に使用される支柱などを地中から引き抜くための引抜き治具に関し、引抜き作業の労力軽減のために足を使用するようにするとともに低コストで簡易な構成の治具を提供する。【解決手段】接地板２と、該接地板に固定して立設された治具用支柱３と、該治具用支柱に上下方向へ揺動自在に支持される腕状体であってその腕状体の先端が引抜き対象の支柱に横方向から当てがうＬ字状の屈曲部を有してなる押さえアーム４とを設ける。さらに、前記治具用支柱３に上下方向へ揺動自在に支持される主アーム本体であってその主アーム本体の先端部に前記押さえアームの屈曲部とで前記引抜き対象の支柱を挟持する係合部を有するとともにその主アーム本体の後端部に足踏み用の力点部が設けられてなる抜取りアーム５と、を少なくとも構成部材として有して成る引抜き治具１とする。【選択図】図２
0003163686.tif 000002
【実用新案登録請求の範囲】
【請求項１】
接地板と、該接地板に固定して立設された治具用支柱と、該治具用支柱に上下方向へ揺動自在に支持される腕状体であってその腕状体の先端が引抜き対象の支柱に横方向から当てがうＬ字状の屈曲部を有してなる押さえアームと、前記治具用支柱に上下方向へ揺動自在に支持される主アーム本体であってその主アーム本体の先端部に前記押さえアームの屈曲部とで前記引抜き対象の支柱を挟持する係合部を有するとともにその主アーム本体の後端部に足踏み用の力点部が設けられてなる抜取りアームと、を少なくとも構成部材として有して成ること、
を特徴とする引抜き治具。
【請求項２】
押さえアームの屈曲部における押さえ棒には、滑止め用の弾性体が被覆されていること、
を特徴とする請求項１に記載の引抜き治具。
【請求項３】
抜取りアームの係合部は、前記引抜き対象の支柱に当接する側の形状が前記支柱の外形状に沿うような形状に形成されていること、
特徴とする請求項１または２に記載の引抜き治具。
【請求項４】
抜取りアームには、押さえアームの下面に当接して係合し該押さえアームを下から上に押し上げる押上げバーが設けられていること、
を特徴とする請求項１乃至３のいずれかに記載の引抜き治具。
【請求項５】
抜取りアームには、治具用支柱の下部と抜取りアームの先端部とに架設され、常に主アーム本体の先端部を下側に付勢する付勢手段が設けられていること、
を特徴とする請求項１乃至４のいずれかに記載の引抜き治具。
【請求項６】
治具支柱には、該治具支柱を地表に立てた状態において、押さえアームの先端部が下方向に下がり過ぎないように任意の位置で規制するストッパが設けられていること、
を特徴とする請求項１乃至５のいずれかに記載の引抜き治具。
【請求項７】
抜取りアームは、連結部を介して２体に分割されて成るもので、治具支柱の上側に折り畳めるものであること、
を特徴とする請求項１乃至６のいずれかに記載の引抜き治具。
【考案の詳細な説明】
【技術分野】
【０００１】  本考案は、主に農業用、園芸ハウス用、温室用等に使用される支持用の細い杭もしくは温室用の骨組パイプや組立用枠材などの一部を地中から引き抜くための引抜き治具に関するものである。
【背景技術】
【０００２】  農業用もしくは園芸用の杭や支柱を土中に差し込んだ後、これを引き抜くのはもっぱら人手によるものが多かったが、作業能率の向上と労力軽減のため、手動による引抜き器が考案されている。例えば、支柱と操作棒を互いに交差させるように手動で動かして引き抜くものが知られている（特許文献１参照）。また、支柱に掛着部を取り付けて、梃子（てこ）により手で押し上げるものが知られている（特許文献２，３参照）。
【先行技術文献】
【特許文献】
【０００３】
【特許文献１】特開２００４−２９３１８８号公報
【特許文献２】特開２００３−１５８９２４号公報
【特許文献３】特開平０７−２１３１６７号公報
【考案の概要】
【考案が解決しようとする課題】
【０００４】  しかし、従来の引抜き治具は、作業時において、手で操作するものであるので、比較的引抜力が弱いものである。また、労力改善のためには腰の負担が少ないように足を使用する治具の開発が必要であるという課題がある。本考案に係る引抜き治具は、このような課題を解決するために提案されたものである。
【課題を解決するための手段】
【００００５】  本考案に係る引抜き治具の上記課題を解決して目的を達成するための要旨は、接地板と、該接地板に固定して立設された治具用支柱と、該治具用支柱に上下方向へ揺動自在に支持される腕状体であってその腕状体の先端が引抜き対象の支柱に横方向から当てがうＬ字状の屈曲部を有してなる押さえアームと、前記治具用支柱に上下方向へ揺動自在に支持される主アーム本体であってその主アーム本体の先端部に前記押さえアームの屈曲部とで前記引抜き対象の支柱を挟持する係合部を有するとともにその主アーム本体の後端部に足踏み用の力点部が設けられてなる抜取りアームと、を少なくとも構成部材として有して成ることである。【０００５】  前記押さえアームの屈曲部における押さえ棒には、滑止め用の弾性体が被覆されていること、；
前記抜取りアームの係合部は、前記引抜き対象の支柱に当接する側の形状が前記支柱の外形状に沿うような形状に形成されていること、；
前記抜取りアームには、押さえアームの下面に当接して係合し該押さえアームを下から上に押し上げる押上げバーが設けられていること、；
前記抜取りアームには、治具用支柱の下部と抜取りアームの先端部とに架設され、常に主アーム本体の先端部を下側に付勢する付勢手段が設けられていること、；
前記治具支柱には、該治具支柱を地表に立てた状態において、押さえアームの先端部が下方向に下がり過ぎないように任意の位置で規制するストッパが設けられていること、；
前記抜取りアームは、連結部を介して２体に分割されて成るもので、治具支柱の上側に折り畳めるものであること、；
を含むものである。
【考案の効果】
【０００６】  本考案の引抜き治具によれば、引抜き対象の支柱を作業者の足による大脚力で地中から引き抜くことができる。この引抜き治具による引抜き作業においては、最初に地中部分の支柱を持ち上げる時に大きな力が必要であって、それを作業者の脚力および体重を使って大きな力を発揮させることで賄うことができる。これにより、作業者も楽な姿勢で作業ができ、体重を乗せて主アーム本体を踏み込むことで地中部分の支柱を引き上げるので、疲れが少なくなり、疲労感が大幅に軽減されるようになる。この引抜き治具は、部品点数も少なく低コストで製作できるものである。【０００７】  また、押さえアームには、例えばゴムなどの弾性体が滑止め用に被覆されているので、引き上げ対象の支柱を確実で効率よく引き抜くことができるとともに、その支柱表面を傷つけることも無い。
前記抜取りアームの係合部が引抜き対象の支柱の外形に合った形状にすることで、支柱を挟持する際に咬み易くなり、引抜きの作業性が向上する。
前記抜取りアームの押上げバーにより、押さえアームと交差しないようになり、引抜き作業の段取りが良くなり、確実な引抜き作業ができる。
更に、付勢手段によって常に抜取りアームが引抜き作業できる位置におかれるようになり、作業能率が向上するものである。【０００８】  また、治具用支柱に設けたストッパによって、押さえアームを作業開始位置にしておくことができて、作業能率が向上する。
前記抜取りアームは、連結部を介して２体に分割されて成るもので、治具支柱の上側に折り畳めるものであることで、この引抜き治具を長手方向に細長くコンパクトにして収納することができるようになり、運搬や収納に便宜となる。
【図面の簡単な説明】
【０００９】
【図１】  本考案に係る引抜き治具１の正面図である。
【図２】  同本考案の引抜き治具１の側面図である。
【図３】  同本考案の引抜き治具１の背面図である。
【図４】  同本考案の引抜き治具１の平面図である。
【図５】  同本考案の引抜き治具１の使用状態の説明図である。
【図６】  同本考案の引抜き治具１によってパイプ８を引抜く様子を拡大して示す説明図で、初期状態の説明図（Ａ），引抜き後の説明図（Ｂ）である。
【図７】  同本考案の引抜き治具１の他の実施例に係る一部拡大平面図である。
【考案を実施するための形態】
【００１０】  本考案に係る引抜き治具１は、作業者の足で抜取りアームを踏み込むことで引抜き対象の支柱であるパイプ（概略直径１０ｍｍ〜２０ｍｍ程度のもの）等を力強く引き抜くものである。
【実施例１】
【００１１】  本考案に係る引抜き治具１は、主にメロン等に係る園芸用のハウスに使用されるパイプ８（図５参照）を引き抜くためのもので、その構成は、図１に示すように、金属製で矩形状平板の接地板２と、該接地板２に溶接などの方法で基部が固定して立設された金属製の治具用支柱３とがある。前記治具用支柱３は、例えば、その長さが１ｍ〜１．５ｍ，直径が約２０ｍｍ程度で、上端部に握り用の取っ手３ａが設けられ、その下位置に横方向に突出するハンドル３ｂが設けられている。このハンドル３ｂは、ねじ込み式で固定位置を可変させることができる。【００１２】  図２に示すように、前記治具用支柱３に支点４ａを中心にして上下方向へ揺動自在に支持される棒状の腕状体（長さは、１９０〜２００ｍｍ程度）であって、その腕状体の先端が引抜き対象の支柱（パイプ８）を横方向から巻き込むＬ字状の屈曲部４ｃを有してなる押さえアーム４が設けられている。前記屈曲部４ｃにおいては、図４に示すように、棒状の腕状体に対して直交した押さえ棒４ｂに滑止め用の弾性体が被覆されている。この弾性体としては、ゴム，ウレタン等である。【００１３】  図２乃至図４に示すように、前記治具用支柱３における前記押さえアーム４の下位置で、支点５ｂを中心にして上下方向へ揺動自在に支持される金属製枠体で構成される主アーム本体であって、その主アーム本体の先端部に、前記押さえアーム４の屈曲部４ｃにおける押さえ棒４ｂとで前記引抜き対象の支柱（パイプ８）を挟持する係合部５ａを有するとともに、その主アーム本体の後端部に足踏み用の力点部５ｃが設けられてなる抜取りアーム５がある。【００１４】  前記抜取りアーム５は、全体長さが３６０ｍｍ×４０ｍｍ程度の金属製平板を間隔をあけて２枚平行に並設し上下に上補強板５ｇ，下補強板５ｅによって溶接・固定して筐体にしたものである。また、長手方向の中間部（先端部の係合部５ａから１５０ｍｍ程度の位置）に支点用の孔が設けられている。前記係合部５ａは、金属製の棒体であってその棒体に滑り止めとしてゴム等の滑止め部材が取り付けられている。【００１５】  前記力点部５ｃは、金属平板にスポンジ若しくはゴム板が貼着されその間に金属製縦板が固着して補強されたステップが主アーム本体に溶接して固定されてなるものである。前記上・下補強板５ｇ，５ｅは、それぞれ、この抜取りアーム５を治具支柱３に取り付けた際に、所望の範囲で揺動するように位置決めする、位置決め用のストッパにもなっている。【００１６】  前記抜取りアーム５には、図１及び図４に示すように、押さえアーム４の下面に当接して係合し該押さえアーム４を下から上に押し上げるもので、互いの先端部が交差しないように防止する、長さ６０ｍｍ程度の押上げバー５ｄが片側に突出させて設けられている。また、図２に示すように、抜取りアーム５には、治具用支柱３の下部と抜取りアーム５の先端部との間に架設され、常に抜取りアーム５の先端部を下側に付勢する付勢手段７であるコイルバネが設けられている。この付勢手段７によって、抜取りアーム５がいつも足で踏み込む初期状態の位置に戻されるものである。【００１７】  前記治具用支柱３には、図２に示すように、該治具用支柱３を地表に立てた状態にお��て、押さえアーム４の先端部が下方向に下がり過ぎないように、任意の位置で規制するストッパ６が設けられている。また、同様に図２に示すように、前記抜取りアーム５も、その先端部が下がり過ぎないように、前記下補強板５ｅの後端部が治具用支柱３に当接する位置を調節して主アーム本体に固定するものである。【００１８】  以上のように構成される引抜き治具１により、その使用方法を説明する。図５乃至図６（Ａ）に示すように、作業者９が地中１０に差し込まれたパイプ８の根元に、横方向から屈曲部４ｃの押さえ棒４ｂと、抜取りアーム５の係合部５ａとを差し込む。引抜き治具１の治具用支柱３から見てパイプ８の外側に押さえ棒４ｂが位置し、パイプ８の内側に係合部５ａが位置する。また、図６に示すように、横当て板５ｆがパイプ８に当接して横方向の位置決めとなる。【００１９】  次に、前記押さえ棒４ｂと係合部５ａとがパイプ８に密着するように、引抜き治具１を作業者９の手前に引く。そして、引抜き治具１の上部の取っ手３ａとハンドル３ｂを作業者９の手でしっかりと掴んで、力点部５ｃのステップに足９ａを掛ける。そして、矢印の示す方向に足９ａを踏み込む。【００２０】  図６（Ｂ）に示すように、抜取りアーム５の先端部の係合部５ａがパイプ８を前方に押し込み、上に揺動させながら押さえ棒４ｂとで協働してパイプ８を挟持させる。さらに、前記ステップを足９ａで踏み込むと、パイプ８が地中１０から持ち上げられる。抜取りアーム５の押し上げバー５ｄにより、押さえアーム４も挟持する状態を維持しながら上に揺動する。また、図６（Ｂ）に示す略水平な状態で抜取りアーム５が反時計方向の回転を止めるのは、抜取りアーム５の主アーム本体を構成する上補強板５ｇの後端部が、治具支柱３に当たるからである。【００２１】  このように、パイプ８を地中１０から抜いた後、手で引き抜いても良い。又は、引抜き治具１を初期状態に戻して、足９ａで図６（Ａ）と同図６（Ｂ）とに示すように引抜き作業を繰り返して、パイプ８を少しずつ繰り返して抜いても良い。パイプ８は、一度抜けると後は容易に手で抜けるようになる。
【実施例２】
【００２２】  引抜き治具１の実施例２として、抜取りアーム５の係合部５ａは、前記引抜き対象の支柱であるパイプ８に当接する側の形状が、図７に示すように、前記支柱のパイプ８の外形状に沿うような形状に形成されているものである。こうすることで、パイプ８に対して係合５ａの接触部が、点接触から面接触に近くなり、容易に馴染んで咬みこむものである。よって、引抜き作業が確実に成り作業効率が良い。
【実施例３】
【００２３】  引抜き治具１の実施例３として、前記抜取りアーム５において、例えば、ピンなどのヒンジによる連結部を介して２体に分割されて成るように構成する（図示せず）。これにより、治具支柱３の上側に折りたためるものである。従って、引抜き治具１がその長手方向にコンパクトになり、細長い梱包材で収納できて、運搬にも、収納にも便宜なものとなる。
【産業上の利用可能性】
【００２４】  本発明に係る引抜き治具１は、園芸用のトンネルハウスのパイプに限らず、適宜な直径の合成樹脂製，金属製若しくは木製の支柱等に広く引抜き治具として適用できるものである。
【符号の説明】
【００２５】１          引抜き治具、
２          接地板、
３          治具用支柱、              ３ａ        取っ手、
３ｂ        ハンドル、
４          押さえアーム、            ４ａ        支点、
４ｂ        押さえ棒、                ４ｃ        屈曲部、
５          抜取りアーム、            ５ａ        係合部、
５ｂ        支点、                    ５ｃ        力点部、
５ｄ        押上げバー、              ５ｅ        下補強板、
５ｆ        横当て板、                ５ｇ        上補強板、
６          ストッパ、
７          付勢手段、
８          パイプ、
９          作業者、                  ９ａ        足、
１０        地中。
【図１】
0003163686.tif 000003
【図２】
0003163686.tif 000004
【図３】
0003163686.tif 000005
【図４】
0003163686.tif 000006
【図５】
0003163686.tif 000007
【図６】
0003163686.tif 000008
【図７】
0003163686.tif 000009